【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
サービス・ケイパビリティの公開のためのネットワークデバイスであって、
メモリと、
ネットワーク・サービス・ケイパビリティ・レイヤ（NSCL）を実装する１つ以上のプロセッサと
を有し、
前記NSCLは、
3GPP（3rd  Generation  Partnership  Project）のMTC-IWF（machine  type  communication-Interworking  Function）に接続されたサービス・ケイパビリティ・サーバ（SCS）に関連してアプリケーションサーバ（AS）と第１のUEとの間の接続のための認証及び許可を管理し、
前記SCSを介した前記ASと前記第１のUEと間の前記接続のためのアプリケーションプログラミングインタフェース（API）を管理し、
前記3GPPのMTC-IWFで動作する前記SCSを介した前記ASと前記第１のUEとの間の前記接続に関連する前記UEの１つ以上のパラメータを記憶するように構成されるネットワークデバイス。
【請求項２】
前記１つ以上のプロセッサで実装された前記NSCLは、前記UEからのSCL登録を処理するように更に構成され、前記SCL登録は、前記UEの前記１つ以上のパラメータを有する、請求項１に記載のデバイス。
【請求項３】
前記１つ以上のプロセッサで実装された前記NSCLは、前記UEからのSCL登録を処理する前に、サービス・ケイパビリティ発見情報を前記AS及び前記UEに提供するように更に構成される、請求項１に記載のデバイス。
【請求項４】
前記１つ以上のプロセッサで実装された前記NSCLは、前記NSCLと前記ASとの間のプロトコル接続を管理するように更に構成される、請求項１に記載のデバイス。
【請求項５】
前記１つ以上のパラメータは、前記UEで動作するデータアプリケーション（DA）のためのアクセス権及び通知チャネル情報を有する、請求項２に記載のデバイス。
【請求項６】
DAは、ETSI（European  Telecommunications  Standards  Institute）  DAであり、前記接続は、前記ETSI  DAのデータに関連する、請求項３に記載のデバイス。
【請求項７】
前記ASは、マシン・ツー・マシン（M2M）アプリケーションインタフェース（mIa）で前記NSCLと通信するネットワークアプリケーション（NA）を有する、請求項１に記載のデバイス。
【請求項８】
前記APIは、前記SCSと前記ASとの間の通信に関する機能を管理するために提供される、請求項７に記載のデバイス。
【請求項９】
前記第１のUEに関連するUEデバイス・ゲートウェイ・サービス・ケイパビリティ・レイヤの間の通信は、前記MTC-IWFを介して生じる、請求項１に記載のデバイス。
【請求項１０】
前記APIは、ETSI（European  Telecommunications  Standards  Institute）サービスに関連する、請求項１に記載のデバイス。
【請求項１１】
前記UEの前記１つ以上のパラメータは、前記ASに提供されるmIdパラメータのためのマシン・ツー・マシン・デバイス・インタフェース（mId）に関連する、請求項１に記載のデバイス。
【請求項１２】
前記mId参照ポイントに対応する無線ネットワークのmId参照ポイントは、3GPPユーザプレーン上に実装され、
前記mId参照ポイントは、前記3GPPユーザプレーンのTsmsmインタフェース上に実装される、請求項１１に記載のデバイス。
【請求項１３】
通信システムにおけるマシン・ツー・マシン（M2M）動作のためのサービス・ケイパビリティの公開を実装するためにネットワークデバイスにより実行される方法であって、
3GPP（3rd  Generation  Partnership  Project）のMTC-IWF（machine  type  communication-Interworking  Function）に接続されたサービス・ケイパビリティ・サーバ（SCS）に関連してアプリケーションサーバ（AS）と第１のUEとの間の接続のための認証及び許可を管理するステップと、
前記SCSを介した前記ASと前記第１のUEと間の前記接続のためのアプリケーションプログラミングインタフェース（API）を管理するステップと、
前記3GPPのMTC-IWFで動作する前記SCSを介した前記ASと前記第１のUEとの間の前記接続に関連する前記UEの１つ以上のパラメータを記憶するステップと
を有する方法。
【請求項１４】
前記UEからのSCL登録を処理するステップであり、前記SCL登録は、前記UEの前記１つ以上のパラメータを有するステップを更に有する、請求項１３に記載の方法。
【請求項１５】
１つ以上のプロセッサで実装されたNSCLは、前記UEからのSCL登録を処理する前に、サービス・ケイパビリティ発見情報を前記AS及び前記UEに提供するように更に構成される、請求項１３に記載の方法。
【請求項１６】
１つ以上のプロセッサで実装されたNSCLは、前記NSCLと前記ASとの間のプロトコル接続を管理するように更に構成され、
前記１つ以上のパラメータは、前記UEで動作するデータアプリケーション（DA）のためのアクセス権及び通知チャネル情報を有し、
前記DAは、ETSI（European  Telecommunications  Standards  Institute）  DAであり、前記接続は、前記ETSI  DAのデータに関連する、請求項１３に記載の方法。
【請求項１７】
前記ASは、マシン・ツー・マシン（M2M）アプリケーションインタフェース（mIa）でNSCLと通信するネットワークアプリケーション（NA）を有し、
前記APIは、前記SCSと前記ASとの間の通信に関する機能を管理するために提供される、請求項１３に記載の方法。
【請求項１８】
mId参照ポイントに対応する無線ネットワークのmId参照ポイントは、3GPPユーザプレーン上に実現される、請求項１７に記載の方法。
【請求項１９】
前記第１のUEに関連するUEデバイス・ゲートウェイ・サービス・ケイパビリティ・レイヤの間の通信は、前記MTC-IWFを介して生じる、請求項１３に記載の方法。
【請求項２０】
サービス・ケイパビリティの公開のためのネットワークデバイスであって、
ユーザ装置（UE）の１つ以上のパラメータを記憶するように構成されたメモリであり、前記UEは、サービス・ケイパビリティ・サーバ（SCS）を介したアプリケーションサーバ（AS）と前記UEとの間の接続に関連するメモリと、
ネットワーク・サービス・ケイパビリティ・レイヤ（NSCL）を実装する１つ以上のプロセッサと
を有し、
前記NSCLは、
3GPP（3rd  Generation  Partnership  Project）のMTC-IWF（machine  type  communication-Interworking  Function）に接続された前記SCSに関連して前記ASとUEとの間の接続のための認証及び許可を管理し、
前記SCSを介した前記ASと前記UEと間の前記接続のためのアプリケーションプログラミングインタフェース（API）を管理し、
前記3GPPのMTC-IWFで動作する前記SCSを介した前記ASと第１のUEとの間の前記接続に関連する前記UEの前記１つ以上のパラメータを記憶するように構成されるネットワークデバイス。
【請求項２１】
前記１つ以上のプロセッサで実装された前記NSCLは、
前記UEからのSCL登録を処理する前に、サービス・ケイパビリティ発見情報を前記AS及び前記UEに提供するように更に構成される、請求項２０に記載のデバイス。
【請求項２２】
前記接続は、インターネットプロトコル（IP）接続であり、
前記１つ以上のプロセッサで実装された前記NSCLは、
マシン・ツー・マシン・アプリケーション・インタフェース（mId）参照ポイントで前記UEのケイパビリティについてのデータを受信するように更に構成される、請求項２０に記載のデバイス。
【請求項２３】
前記mId参照ポイントに対応する無線ネットワークのmId参照ポイントは、3GPP制御プレーン上に実装され、
前記１つ以上のプロセッサは、3GPP  T4インタフェース上でショートメッセージサービス（SMS）通信を使用して前記ケイパビリティを第２のデバイスに登録するように更に構成される、請求項２２に記載のデバイス。
【請求項２４】
前記ケイパビリティは、前記UEデバイスで実行するアプリケーションに関連するケイパビリティである、請求項２３に記載のデバイス。
【請求項２５】
前記アプリケーションは、スマートホームアプリケーション、計器アプリケーション、又は自動車アプリケーションである、請求項２４に記載のデバイス。